【手続補正書】
【提出日】平成27年11月2日(2015.11.2)
【手続補正１】
【補正対象書類名】明細書
【補正対象項目名】発明の名称
【補正方法】変更
【補正の内容】
【発明の名称】撮影制御装置、カメラ、撮影制御プログラム及び撮影制御方法
【手続補正２】
【補正対象書類名】明細書
【補正対象項目名】０００１
【補正方法】変更
【補正の内容】
【０００１】
本発明は、撮影制御装置、同期撮影機能を備えたカメラ、このカメラに用いられる撮影制御プログラム及び撮影制御方法に関する。
【手続補正３】
【補正対象書類名】明細書
【補正対象項目名】０００５
【補正方法】変更
【補正の内容】
【０００５】
本発明は、係る従来の課題に鑑みてなされたものであり、複数のカメラを用いた同時撮影において、ユーザの期待に応じた撮影結果を得ることのできる撮影制御装置、カメラ、撮影制御プログラム及び撮影制御方法を提供することを目的とする。
【手続補正４】
【補正対象書類名】明細書
【補正対象項目名】０００６
【補正方法】変更
【補正の内容】
【０００６】
前記課題を解決するために本発明に係る撮影制御装置は、複数のカメラによる撮影を行う際の仮の条件である仮条件を決定する仮条件決定手段と、前記仮条件で前記複数のカメラによる撮影が可能か否かを判定する判定手段と、前記判定手段による判定結果に応じて、前記複数のカメラによる撮影を行う際の実際の条件である実条件を決定する実条件決定手段と、前記実条件を前記複数のカメラに設定する制御を行う制御手段とを備えることを特徴とする。
【手続補正５】
【補正対象書類名】明細書
【補正対象項目名】０００７
【補正方法】変更
【補正の内容】
【０００７】
また、本発明に係る撮影制御プログラムは、コンピュータを、複数のカメラによる撮影を行う際の仮の条件である仮条件を決定する仮条件決定手段と、前記仮条件で前記複数のカメラによる撮影が可能か否かを判定する判定手段と、前記判定手段による判定結果に応じて、前記複数のカメラによる撮影を行う際の実際の条件である実条件を決定する実条件決定手段と、前記実条件を前記複数のカメラに設定する制御を行う制御手段として機能させることを特徴とする。
【手続補正６】
【補正対象書類名】明細書
【補正対象項目名】０００８
【補正方法】変更
【補正の内容】
【０００８】
また、本発明に係る撮影制御方法は、カメラの撮影制御方法であって、複数のカメラによる撮影を行う際の仮の条件である仮条件を決定する仮条件決定処理と、前記仮条件で前記複数のカメラによる撮影が可能か否かを判定する判定処理と、前記判定処理による判定結果に応じて、前記複数のカメラによる撮影を行う際の実際の条件である実条件を決定する実条件決定処理と、前記実条件を前記複数のカメラに設定する制御を行う制御処理とを含むことを特徴とする。
【手続補正７】
【補正対象書類名】明細書
【補正対象項目名】０００９
【補正方法】変更
【補正の内容】
【０００９】
また、本発明に係るカメラは、撮像手段と、自己のカメラを含む複数のカメラによる撮影を行う際の仮の条件である仮条件を決定する仮条件決定手段と、前記仮条件で前記複数のカメラによる撮影が可能か否かを判定する判定手段と、前記判定手段による判定結果に応じて、前記複数のカメラによる撮影を行う際の実際の条件である実条件を決定する実条件決定手段と、前記実条件を前記複数のカメラに設定する制御を行う制御手段とを備えることを特徴とする。
【手続補正８】
【補正対象書類名】特許請求の範囲
【補正対象項目名】全文
【補正方法】変更
【補正の内容】
【特許請求の範囲】
【請求項１】
複数のカメラによる撮影を行う際の仮の条件である仮条件を決定する仮条件決定手段と、
前記仮条件で前記複数のカメラによる撮影が可能か否かを判定する判定手段と、
前記判定手段による判定結果に応じて、前記複数のカメラによる撮影を行う際の実際の条件である実条件を決定する実条件決定手段と、
前記実条件を前記複数のカメラに設定する制御を行う制御手段と
を備えることを特徴とする撮影制御装置。
【請求項２】
前記実条件決定手段は、前記判定手段により前記仮条件で前記複数のカメラによる撮影が可能であると判定された場合は、前記仮条件を前記実条件として決定し、前記判定手段により前記仮条件で前記複数のカメラによる撮影が可能でないと判定された場合は、前記判定結果に応じて前記仮条件を変更して前記実条件を決定することを特徴とする請求項１記載の撮影制御装置。
【請求項３】
前記複数のカメラによる撮影を行う際の仮または実際の条件は、前記複数のカメラにより同じ被写体を同じ時間帯に撮影する同期撮影を行う際に、前記複数のカメラに共通して設定すべき条件であり、
前記制御手段は、前記実条件で前記複数のカメラが同期撮影を行うように制御することを特徴とする請求項２記載の撮影制御装置。
【請求項４】
前記仮条件には、前記複数のカメラによる撮影において、この撮影に参加するカメラの台数に関する条件、各々のカメラが実行すべき撮影の実行条件、撮影を行うタイミングに関する条件のうちのいずれか複数の条件を含み、
前記実条件決定手段は、前記判定手段により前記仮条件での同期撮影が可能でないと判定された場合は、前記仮条件に含まれる複数の条件のうちのいずれかを変更して実条件を決定することを特徴とする請求項２記載の撮影制御装置。
【請求項５】
前記複数のカメラによる撮影への参加候補となる複数の候補カメラから前記複数のカメラによる撮影の条件に係る性能又は状態を所定情報として取得する取得手段を更に備え、
前記判定手段は、前記取得手段により取得された所定情報に基づいて、前記複数の候補カメラの各々について、前記仮条件による前記複数のカメラによる撮影に参加可能な性能又は状態にあるか否かを判定することを特徴とする請求項２記載の撮影制御装置。
【請求項６】
前記仮条件を前記複数のカメラの各々に送信する仮条件送信手段を更に備え、
前記判定手段は、前記仮条件の送信に応答して前記複数のカメラの各々から送信されてくる前記複数のカメラによる撮影に参加可能か否かを示す参加可否情報に基づいて、前記仮条件での前記複数のカメラによる撮影に前記複数のカメラの各々が参加可能か否かを判定することを特徴とする請求項２記載の撮影制御装置。
【請求項７】
前記仮条件には、前記複数のカメラによる撮影への参加候補となる複数の候補カメラの条件と、各候補カメラが実行すべき撮影の実行条件とを含み、
前記判定手段は、前記複数の候補カメラの全てが前記実行条件での前記複数のカメラによる撮影に参加可能であるか否かを判定し、
前記実条件決定手段は、前記判定手段により全ての候補カメラが前記実行条件で前記複数のカメラによる撮影に参加可能でないと判定された場合に、前記複数のカメラによる撮影に参加するカメラの台数と各カメラが実行する実行条件の両方が所望の状態を維持する範囲内で前記仮条件を変更して前記実条件を決定することを特徴とする請求項２記載の撮影制御装置。
【請求項８】
前記実条件決定手段は、前記仮条件を変更して前記実条件を決定する場合に、前記実行条件を変更せずに前記複数のカメラによる撮影に参加できないと判断された候補カメラを除外する方法と、前記複数のカメラによる撮影に参加できないと判断された候補カメラを除外せずに前記実行条件を変更する方法のいずれかの方法を選択して前記仮条件を変更することを特徴とする請求項７記載の撮影制御装置。
【請求項９】
前記仮条件の変更範囲を制限する制限条件を指定する変更制限手段を更に備え、
前記実条件決定手段は、前記変更制限手段により指定された制限条件の範囲内で前記仮条件を変更して前記実条件を決定することを特徴とする請求項７記載の撮影制御装置。
【請求項１０】
前記制限条件は、同期撮影に参加するカメラの台数変更の制限条件、又は前記実行条件の変更範囲の制限条件を含むことを特徴とする請求項９記載の撮影制御装置。
【請求項１１】
前記仮条件には、更に前記複数のカメラによる撮影を行うタイミングに関する条件を含み、
前記判定手段は、前記複数の候補カメラの全てが前記実行条件で前記複数のカメラによる撮影に直ちに参加可能であるか否かを判定し、
前記実条件決定手段は、前記判定手段により全ての候補カメラが前記実行条件で前記複数のカメラによる撮影に直ちに参加可能でないと判定された場合に、前記複数のカメラによる撮影に参加するカメラの台数と各カメラが実行する実行条件と前記複数のカメラによる撮影が行われるまでの待機時間の全てが所望の状態を維持する範囲内で前記仮条件を変更して前記実条件を決定することを特徴とする請求項７記載の撮影制御装置。
【請求項１２】
前記実条件決定手段は、前記仮条件を変更して前記実条件を決定する場合に、前記実行条件を変更せずに前記複数のカメラによる撮影に参加できないと判断された候補カメラを除外する方法と、前記複数のカメラによる撮影に参加できないと判断された候補カメラを除外せずに前記実行条件を変更する方法と、全てのカメラが前記複数のカメラによる撮影に参加できる状態になるまで待機する方法のいずれかの方法を選択して前記仮条件を変更することを特徴とする請求項１１記載の撮影制御装置。
【請求項１３】
カメラとしての機能を備え、
他のカメラから送信されてくる前記仮条件を受信する仮条件受信手段を更に備え、
前記判定手段は、前記仮条件受信手段により受信した仮条件で自己のカメラが前記複数のカメラによる撮影に参加可能か否かを判定し、
前記判定手段による判定結果に基づく所定情報を他のカメラに送信する所定情報送信手段と、
前記制御手段は、前記所定情報送信手段による所定情報の送信に応答して他のカメラから送信されてくる実条件で自己のカメラが前記複数のカメラによる撮影を実行するように制御することを特徴とする請求項２記載の撮影制御装置。
【請求項１４】
カメラとしての機能を備え、
前記判定手段は、前記複数のカメラによる撮影への参加候補となる全てのカメラが前記仮条件で前記複数のカメラによる撮影に参加可能であるか否かを判定し、
前記制御手段は、前記判定手段により全てのカメラが参加可能であると判定された場合に、前記仮条件を前記実条件として前記複数のカメラによる撮影を実行し、
前記判定手段が参加可能でないと判定した場合において、その旨を他のカメラに通知する通知手段を更に備え、
前記制御手段は、前記複数のカメラによる撮影に参加可能でないと判定されたカメラが参加できる状態となるまで待機する
ことを特徴とする請求項２記載の撮影制御装置。
【請求項１５】
前記仮条件とは、全てのカメラが予め定められた同一の時間長で動画を撮影することのできる性能であって、前記動画の撮影が可能な電池残量、又は撮影した動画を記録する記録手段の残存容量を有することであることを特徴とする請求項２記載の撮影制御装置。
【請求項１６】
前記仮条件とは、全てのカメラが同一の被写体を撮影することのできる状態であることであり、
前記被写体とこれを撮影するカメラとの位置及び撮影方向との関係を検出する検出手段を備え、
前記判定手段は、各カメラの前記検出手段による検出結果に基づき、前記全てのカメラが同一の被写体を撮影することのできる状態であるか否かを判定することを特徴とする請求項２記載の撮影制御装置。
【請求項１７】
前記仮条件とは、カメラが撮影時に発生する機能及びその程度である撮影条件を同一にすることであり、
前記撮影条件を設定する設定手段と、
他のカメラの前記撮影条件を確認する確認手段を更に備え、
前記判定手段は、前記設定手段により決定された撮影条件にての前記複数のカメラによる撮影への参加可能性を判定し、
前記制御手段は、前記確認手段による確認結果に基づき、前記複数のカメラによる撮影に参加するカメラの撮影条件が同一となるように、前記複数のカメラによる撮影の実行を制御することを特徴とする請求項２記載の撮影制御装置。
【請求項１８】
撮像手段と、
自己のカメラを含む複数のカメラによる撮影を行う際の仮の条件である仮条件を決定する仮条件決定手段と、
前記仮条件で前記複数のカメラによる撮影が可能か否かを判定する判定手段と、
前記判定手段による判定結果に応じて、前記複数のカメラによる撮影を行う際の実際の条件である実条件を決定する実条件決定手段と、
前記実条件を前記複数のカメラに設定する制御を行う制御手段と
を備えることを特徴とするカメラ。
【請求項１９】
コンピュータを、
複数のカメラによる撮影を行う際の仮の条件である仮条件を決定する仮条件決定手段と、
前記仮条件で前記複数のカメラによる撮影が可能か否かを判定する判定手段と、
前記判定手段による判定結果に応じて、前記複数のカメラによる撮影を行う際の実際の条件である実条件を決定する実条件決定手段と、
前記実条件を前記複数のカメラに設定する制御を行う制御手段と
して機能させるためのプログラム。
【請求項２０】
カメラの撮影制御方法であって、
複数のカメラによる撮影を行う際の仮の条件である仮条件を決定する仮条件決定処理と、
前記仮条件で前記複数のカメラによる撮影が可能か否かを判定する判定処理と、
前記判定処理による判定結果に応じて、前記複数のカメラによる撮影を行う際の実際の条件である実条件を決定する実条件決定処理と、
前記実条件を前記複数のカメラに設定する制御を行う制御処理と
を含むことを特徴とする撮影制御方法。